(57)【要約】【課題】取り外し容易な内部仕切り用仮設堰堤を提供する。【解決手段】内部仕切り用仮設堰堤は、筐体本体１と、筐体本体１の天井面に設けられた基礎板２と、基礎板２に取り付けられたリブ３と、懸吊部材係止部４と、筐体本体１の長手方向の側面に設けられた貼付板５，５´とを備える。【選択図】図１
0003178696.tif 000002
【実用新案登録請求の範囲】
【請求項１】
最終処分場において、無機廃棄物を含む盛土材を埋め立てる第１空間をさらに仕切って第２空間を確保するための内部仕切り用仮設堰堤であって、
前記第２空間に対応した大きさであって、上部が開口した直方体の枠体の内部にコンクリートが充填された筐体本体と、
前記筐体本体を吊るすために該筐体本体の天面上に形成された懸吊部材係止部と、
前記筐体本体の長手方向の両側面に垂直に取り付けられた帯状の貼付板と
を備え、
前記長手方向の両側面の一方の面が上方から下方に向って幅狭となるテーパー面となっていることを特徴とする内部仕切り用仮設堰堤。
【請求項２】
請求項１記載の内部仕切り用仮設堰堤において、
前記筐体本体の天井面において長手方向の両側に帯状に設けられた一対の基礎板と、
前記一対の基礎板の各両端に対角線を長手方向として取り付けられたリブと
を備え、
前記リブに前記懸吊部材係止部が形成されていることを特徴とする内部仕切り用仮設堰堤。
【請求項３】
請求項２記載の内部仕切り用仮設堰堤において、
前記貼付板が前記一対の基礎板と長手方向において対応する位置に設けられ、前記貼付板と前記基礎板とが接続されていることを特徴とする内部仕切り用仮設堰堤。
【考案の詳細な説明】
【技術分野】
【０００１】
本考案は、最終処分場において、無機廃棄物を含む盛土材を埋め立てる第１空間をさらに仕切って第２空間を確保するための内部仕切り用仮設堰堤に関する。
【背景技術】
【０００２】
従来、この種の仮設堰堤としては、本願出願人による特許出願において、仕切り鉄板を、シーティング板を備えたたて込み簡易土留め具により固定したものが知られている（下記特許文献１  段落［００２４］，［図１］参照）。
【先行技術文献】
【特許文献】
【０００３】
【特許文献１】特許第４３１７２６０号公報
【考案の概要】
【考案が解決しようとする課題】
【０００４】
しかしながら、かかる従来の内部仕切り用仮設堰堤では、第１空間に無機廃棄物を含む盛土材を埋め立てた後に、たて込み簡易土留め具を取り外すことが困難な場合があった。
【０００５】
特に、第１空間に埋め立てられた盛土材は、上から締め固めされるため、仕切鉄板およびたて込み簡易土留め具には、相当の圧力が掛かっている。そのため、たて込み簡易土留め具を取り外すには熟練の技術が必要となっていた。
【０００６】
以上の事情に鑑みて、本考案は、取り外し容易な内部仕切り用仮設堰堤を提供することを目的とする。
【課題を解決するための手段】
【０００７】
上記目的を達成するために、第１考案は、最終処分場において、無機廃棄物を含む盛土材を埋め立てる第１空間をさらに仕切って第２空間を確保するための内部仕切り用仮設堰堤であって、前記第２空間に対応した大きさであって、上部が開口した直方体の枠体の内部にコンクリートが充填された筐体本体と、前記筐体本体を吊るすために該筐体本体の天面上に形成された懸吊部材係止部と、前記筐体本体の長手方向の両側面に垂直に取り付けられた帯状の貼付板とを備え、前記長手方向の両側面の一方の面が上方から下方に向って幅狭となるテーパー面となっていることを特徴とする。
【０００８】
第１考案の内部仕切り用仮設堰堤によれば、筐体本体が第２空間の大きさに対応しているため、筐体本体を所望の場所に載置すれば、第２空間を確保することができる。
【０００９】
このとき、筐体本体は、第１空間に対して仕切り幅を確保するように、長手方向が第２空間の境界となるように配置される。そして、かかる境界に仕切鉄板を配置した上で、第１空間に無機廃棄物を含む盛土材が埋め立てられるが、第１考案の内部仕切り用仮設堰堤によれば、長手方向の両側面の一方の面が上方から下方に向って幅狭となるテーパー面となっているため、かかる両側面に掛かる高い圧力は、筐体本体を上向きに押し上げるように作用する。これにより、筐体本体を吊り上げるだけで、これを容易に取り外すことができる。
【００１０】
さらに、長手方向の両側面には、垂直に取り付けられた帯状の貼付板が取り付けられているため、側面全体が接触することなく貼付板のみを部分に接触させることができる。これにより、接触面積を小さくして摩擦力を抑えることができ、筐体本体を容易に取り外すことができる。
【００１１】
このように、第１考案の内部仕切り用仮設堰堤によれば、取り外し容易な内部仕切り用仮設堰堤を提供することができる。
【００１２】
第２考案の内部仕切り用仮設堰堤は、第１考案において、前記筐体本体の天井面において長手方向の両側に帯状に設けられた一対の基礎板と、前記一対の基礎板の各両端に対角線を長手方向として取り付けられたリブとを備え、前記リブに前記懸吊部材係止部が形成されていることを特徴とする。
【００１３】
第２考案の内部仕切り用仮設堰堤によれば、上述のように、第１空間に無機廃棄物を含む盛土材を埋め立てられる際に、両側面に掛かる高い圧力は、筐体本体を上向きに押し上げるように作用する。そのため、筐体本体の浮き上がりを防止するように、その内部にコンクリートを充填して重量を確保している。ここで、筐体本体を吊り上げる際には、その重量が懸吊部材係止部に係り、懸吊部材係止部が筐体本体から脱落することも考えられる。
【００１４】
そこで、第２考案の内部仕切り用仮設堰堤では、リブが、一対の基礎板の各両端に対角線を長手方向として取り付けられるため、リブの長さを長くすることができ、筐体本体を吊るした際に掛かる荷重を長手方向全体に分散させることができる。
【００１５】
さらに、リブは、筐体本体の天井面において長手方向の両側に帯状に設けられた一対の基礎板に取り付けられることから、筐体本体を吊るした際に掛かる荷重を、基礎板全体に分散させることができ、基礎板自体が筐体本体から剥離することを防止することができる。
【００１６】
このように、第２考案の内部仕切り用仮設堰堤によれば、取り外しの際の耐久性が高く、取り外しも容易な内部仕切り用仮設堰堤を提供することができる。
【００１７】
第３考案の内部仕切り用仮設堰堤によれば、第２考案において、前記貼付板が前記一対の基礎板と長手方向において対応する位置に設けられ、前記貼付板と前記基礎板とが接続されていることを特徴とする。
【００１８】
第３考案の内部仕切り用仮設堰堤によれば、基礎板と貼付板とを筐体本体の長手方向において対応する位置に設け、これらを接続することで、基礎板と貼付板とを一体とすることができ、吊り上げ時に上方に作用する外力を基礎板を介して貼付板に直接伝達することができ、筐体本体の取り外しをさらに容易とすることができると共に、基礎板が筐体本体から剥離することも確実に防止することができる。
【００１９】
このように第３考案の内部仕切り用仮設堰堤によれば、取り外しの際の操作性および耐久性を高めた内部仕切り用仮設堰堤を提供することができる。
【図面の簡単な説明】
【００２０】
【図１】本実施形態の内部仕切り用仮設堰堤を示す斜視図。
【図２】図１に示す内部仕切り用仮設堰堤をＩＩ−ＩＩ線で切断した断面図。
【図３】図１の内部仕切り用仮設堰堤を長手方向から見た図。
【図４】図１の内部仕切り用仮設堰堤の使用状態を示す説明図。
【考案を実施するための形態】
【００２１】
本考案の一実施形態としての内部仕切り用仮設堰堤について、図１〜図３を参照して説明する。
【００２２】
まず、図１を参照して、本実施形態の内部仕切り用仮設堰堤の概要について説明する。
【００２３】
一定の平面的な広がりのある最終処分場において、予めその内部を箱型の仮設堰堤（図４参照）により仕切って、無機廃棄物を含む盛土材を埋め立てる第１空間を確保した上で、内部仕切り用仮設堰堤は、かかる第１空間をさらに仕切って第２空間を確保するために用いられる。
【００２４】
内部仕切り用仮設堰堤は、筐体本体１と、筐体本体１の天井面に設けられた基礎板２と、基礎板２に取り付けられたリブ３と、懸吊部材係止部４と、筐体本体１の長手方向の側面に設けられた貼付板５，５´とを備える。
【００２５】
筐体本体１は、上部が開口した長形の金属製の枠体の内部にコンクリート１０が充填された構造となっており、その寸法は、第２空間の大きさに対応している。具体的に、図２に示すように、筐体本体１は、底壁１１および長手方向の２つの側壁１２ａ，１２ｂおよび短辺の２つの側壁１３，１３からなる直方体の箱体（長辺約３ｍ、短辺約２ｍ、高さ約１．３ｍ）の内部にコンクリート１０が充填されている。
【００２６】
なお、筐体本体１の内部全体には、鉄製の格子１４が予め納められており、この状態でコンクリート１０を充填することで、コンクリート１０の一体性が高められている。
【００２７】
基礎板２は、筐体本体１の天井面において長手方向の両側に帯状に設けられた一対の金属製の板体である。具体的に、基礎板２は、後述する貼付板５と溶接により接合されており、貼付板５が筐体本体１の長手方向の側壁１２ａ，１２ｂに溶接により接合されることで、基礎板２と筐体本体１とが一体となっている。
【００２８】
リブ３は、基礎板２に立設された金属製の厚板であって、一対の基礎板２，２の各両端に対角線を長手方向として相対向して２対、すなわち、合計４つ取り付けられている。
【００２９】
さらに、リブ３には、これを貫くように懸吊部材係止部４としての貫通孔が設けられており、当該仮設堰堤を吊るすための懸吊部材（図示省略）が係合可能となっている。
【００３０】
貼付板５，５´は、筐体本体１の長手方向の両側面に垂直に取り付けられた帯状の金属板であって、溶接により筐体本体１の両側壁１２ａ，１２ｂに接合されている。長手方向の両側に設けられた貼付板５，５は、一対の基礎板２，２と長手方向において対応する位置に設けられ、これらの当接部分が溶接により接合されている。
【００３１】
ここで、図３に示すように、筐体本体１の長手方向の両側壁１２ａ，１２ｂの一方の側壁１２ａが上方から下方に向って幅狭となるテーパー面となっている。そのため、テーパー面となっている側壁１２ａに取り付けられた貼付板５，５は、筐体本体１の天井面側でテーパー角（約１５度）だけ屈折している。
【００３２】
次に、以上のように構成された内部仕切り用の仮設堰堤の使用方向について、図１および図４を参照して説明する。
【００３３】
内部仕切り用の仮設堰堤は、まず、一定の平面的な広がりのある最終処分場において、箱型の仮設堰堤１００により仕切って第１空間１０１を確保した上で、第１空間１０１をさらに仕切って第２空間１０２を確保するために用いられる。
【００３４】
図４（ａ）において、第１空間１０１の左側領域Ｘおよび下側領域Ｙは、既に同様の方法で無機廃棄物を含む盛土材を圧密生成により埋め立てた部分である。内部仕切り用仮設堰堤は、第１空間１０１に対して仕切り幅を確保するように、長手方向が第２空間の境界となり、テーパー面となっている側壁１２ａが仕切り面となるように配置される。また、第２空間１０２の境界には、仕切鉄板１０３ａが設けられており、第１空間１０１の境界には仕切鉄板１０３ｂが設けられている。
【００３５】
まず、無機廃棄物を含む盛土材を第１空間１０１に埋め立てる際には、第１空間１０１のうちで第２空間１０２を除く部分Ｚに、放射性物質や毒性のある焼却灰であるＢ種盛土材を投入してこれを締め固めて圧密成形する。なお、表面側Ｚ´には、放射性物質や毒性のある焼却灰を含まないＡ種盛土材を圧密成形し、Ｂ種盛土材をシールドする。
【００３６】
次に、内部仕切り用仮設堰堤を懸吊部材係止部４としての貫通孔により吊るして、これを両仕切鉄板１０３ａ，１０３ｂの間から取り外す。このとき、側壁１２ａがテーパー面となっているため、厚密成形の際にこの面に掛かる高い圧力は、筐体本体１を上向き押し上げるように作用する。そのため、筐体本体１を吊り上げるだけで、これを容易に取り外すことができる。
【００３７】
さらに、長手方向の両側壁１２ａ，１２ｂには、垂直に取り付けられた帯状の貼付板５，５´が取り付けられているため、側面全体が接触することなく貼付板５，５´のみを部分に接触させることができる。これにより、接触面積を小さくして摩擦力を抑えることができ、筐体本体１を容易に取り外すことができる。
【００３８】
ここで、筐体本体１の吊り上げ時には、この重量がリブ３に集中するが、リブ３は、一対の基礎板２，２の各両端に対角線を長手方向として取り付けられるため、リブ３の長さを長くすることができ、筐体本体１を吊るした際に掛かる荷重を長手方向全体に分散させることができる。
【００３９】
さらに、リブ３は、筐体本体１の天井面において長手方向の両側に帯状に設けられた一対の基礎板に２，２に取り付けられることから、筐体本体１を吊るした際に掛かる荷重を、基礎板２，２全体に分散させることができ、基礎板２，２自体が筐体本体１から剥離することを防止することができる。
【００４０】
加えて、基礎板２と貼付板５とが一体となっていることから、吊り上げ時に上方に作用する外力を基礎板２を介して貼付板５に直接伝達することができ、筐体本体１の取り外しをさらに容易とすることができると共に、基礎板２が筐体本体から剥離することも確実に防止することができる。
【００４１】
次に、図４（ｂ）に示すように、内部仕切り用仮設堰堤に加えて、隣接して設けられていた仕切鉄板１０３ａも除去し、内部仕切り用仮設堰堤により仕切られていた第２空間１０２の領域Ｗに、前記Ａ種盛土材を投入してこれを締め固めて圧密成形する。これにより、Ｂ種盛土材がＡ種盛土材により完全にシールドされる。
【００４２】
最後に、仮設堰堤１００および隣接して設けられていた仕切鉄板１０３ｂを除去することで、圧密生成法による無機廃棄物を含む盛土材の埋め立てを完了する。
【００４３】
以上詳しく説明したように、本実施形態の内部仕切り用仮設堰堤によれば、取り外しの際の耐久性が高く、取り外しも容易な内部仕切り用仮設堰堤を提供することができる。
【００４４】
なお、本実施形態では、基礎板２と貼付板５とを溶接により接合した構成について説明したが、これに限定されるものではなく、基礎板２と貼付板５を接合せず、基礎板２を筐体本体１の天井面に直接取り付けるようにしてもよい。
【符号の説明】
【００４５】
１…筐体本体、２…基礎板、３…リブ、４…貫通孔（懸吊部材係止部）、５，５´…貼付板、１０…コンクリート、１１…底壁（枠体）、１２ａ，１２ｂ…長手方向の側壁（側面）、１０１…第１空間、１０２…第２空間。
【図１】
0003178696.tif 000003
【図３】
0003178696.tif 000004
【図４】
0003178696.tif 000005
【図２】
0003178696.tif 000006